【事件の表示】
　特願２００７−１８４７０９「抵抗率計の電極」拒絶査定不服審判事件〔平成２１年　１月２９日出願公開、特開２００９−　２００６３〕について、次のとおり審決する。
【結　論】
　本件審判の請求は、成り立たない。
【理　由】
第１　手続の経緯
　本願は、平成１９年（２００７年）７月１３日の出願（特願２００７−１８４７０９号）であって、平成２４年２月１６日付けで拒絶理由が通知され、同年４月１０日付けで意見書が提出されるとともに、同日付けで手続補正がなされ、同年４月２５日付けで拒絶理由が通知され、同年６月２９日付けで意見書が提出され、同年７月１３日付けで拒絶査定がなされ、これに対して、同年９月２８日に拒絶査定不服審判の請求がなされたものである。
　
第２　本願の請求項１に係る発明
　本願の請求項１に係る発明（以下「本願発明」という。）は、平成２４年４月１０日付け手続補正により補正された特許請求の範囲の請求項１に記載された事項により特定される次のとおりのものである。
　
「円管状の外電極と、該外電極内に同軸に配置された棒状の内電極とを備えるとともに、該外電極と内電極の基部に絶縁ホルダを介在させて該外電極と内電極とを本体に保持し、該外電極の円管先端から流入する被測定流体を該外電極と該内電極との間を通して、該外電極の前記基部に形成された流出孔から流出させ、該外電極と該内電極の間の被測定液体の抵抗率を測定する抵抗率計の電極であって、
　前記内電極の前記被測定流体の上流側先端の形状が円錐台の形状であり、前記絶縁ホルダの形状は、少なくとも前記流出孔に対応する部分が、前記内電極から前記流出孔にかけて傾斜する傾斜面を有する形状であり、前記内電極の前記基部の形状は、少なくとも前記流出孔に対応する部分が、前記絶縁ホルダの前記傾斜面にかけて傾斜する傾斜面を有する形状であることを特徴とする抵抗率計の電極。」
　
第３　引用例
１　原査定の拒絶の理由に引用され、本願の出願前に頒布された刊行物である特開２０００−１６２１６８号公報（以下「引用例１」という。）には、図面とともに、次の事項が記載されている。（下記「２　引用例１に記載された発明の認定」において直接引用した記載に下線を付した。）
　
「【０００１】
【発明の属する技術分野】この発明は、二つの電極間に交流電圧を印加して、流れる電流に基づいて液体の導電率（または比抵抗）を測定する導電率計に関し、特に、その電極構造の改良に関する。」
　
「【０００９】
 【発明の実施の形態】図１〜図３は、この発明の一つの実施の形態を示す。図１は、この発明の
導電率計のセンサ部
絶縁物よりなるセンサボディで、その下端側には測定電極部２
が形成されており、
センサボディ１を被検液が流れるセル
の液流路に臨むようにして着脱自在に取り付け
【００１０】前記測定電極部２の構成を、図２および図３を参照しながら説明すると、この
測定電極部２は、主として二つの電極６，７からなり、
一方の電極（以下、内極という）６は、棒状で、センサボディ１の下端に取り付けられており、他方の電極（以下、外極という）７は、両端部が開放した円筒状で、内極６の外方にこれと同軸に配置されている。これらの内極６と外極７との間には、電気絶縁性および耐薬品性に富む素材
よりなるスペーサ８が介装されている。
【００１１】そして、
内極６は、その下端部が曲面加工され
外極７の適宜位置には、被検液を外極７内に導入または導出するための貫通孔９，１０が開設されている。
【００１２】そして、上述のように互いに同軸配置された内極６および外極７は、さらに、次のような特徴的構成を備えている。すなわち、これらの内極６および外極７は、いずれも、その本体６ａ，７ａがグラファイトよりなり、それらの６ａ，７ａの表面にガラス状カーボン６ｂ，７ｂよりなる被覆層が形成されている。このガラス状カーボン層６ｂ，７ｂは、所定の形状に加工された内極６および外極７の表面に、焼き付け法など適宜の手法により、例えば３〜５μｍ程度の厚みになるように形成される。
【００１３】上記構成よりなる導電率計のセンサは、例えば、半導体製造工程における半導体部品の洗浄に用いられる純水槽のオーバーフロー部分に形成された流通型の測定セルに、その測定電極部２を被検液としての純水に浸漬した状態で設けられる。そして、内極６と外極７との間に、周波数が例えば１０ｋＨｚ以下の交流電圧を印加し、そのときの電流値から純水の導電率（または比抵抗）を求めることができる。したがって、そのときの導電率（または比抵抗）の値により、純水槽に持ち込まれた洗浄液が純水によってリンスされたことを知ることができる。
【００１４】上述したこの発明の導電率計においては、所定周波数の交流電圧が印加される二つの電極を、棒状の内極６とこれと同軸配置される円筒状の外極７としているので、被検液におけるノイズにほとんど影響されることがなく、安定して測定を行うことができ、高精度の測定を行うことができる。
【００１５】そして、前記内極６および外極７は、それらの表面にガラス状カーボン層６ｂ，７ｂが形成されているので、被検液と接する部分が滑らかとなり、被検液が染み込んだり、付着することがなく、また、被検液中の異物が付着することがないので、これらの影響を受けることもない。したがって、この発明の導電率計は、特に、半導体製造工程における純水のモニターとして好適に使用することができる。また、電極６，７表面に機械的強度に優れたガラス状カーボン層６ｂ，７ｂが形成してあるので、変形したり傷つくこともない。
【００１６】また、前記内極６および外極７は、本体６ａ，７ａがグラファイトで構成され、その表面にガラス状カーボン層６ｂ，７ｂが形成してある。グラファイトは安価で入手しやすく、また、加工も容易であるので、内極６および外極７を全てガラス状カーボンで構成する場合に比べて、所望の形状の内極６や外極７を安価に製造することができる。
【００１７】上述の実施の形態においては、内極６および外極７の本体６ａ，７ａをグラファイトで構成してあったが、これに代えて、機械的に丈夫なＳｉＣなどのセラミックで構成し、それらの表面にガラス状カーボン層６ｂ，７ｂを形成するようにしてもよい。」
　
「【図２】
　　　　　　　　　　　　　　　　　　　　　　　　　　　　　　」
　
２　引用例１に記載された発明の認定
　【図２】より、
(a)スペーサ８が内極６の基部と外極７の基部との間に介装されていること、
(b)貫通孔９，１０が外極の基部に開設されていること、
(c)内極６の基部は下端側より太径となっており、太径の基部と細径の下端側との間には、外極の貫通９，１０に臨む位置に段差面を有すること、及び、
(d)スペーサ８の下端面も外極の貫通９，１０に臨む位置にあることが見て取れる。
　上記記載（図面の記載も含む）を総合すれば、引用例１には、
「絶縁物よりなるセンサボディ１の下端側に形成されている導電率計の測定電極部２であって、
　センサボディ１は被検液が流れるセルの液流路に臨むようにして着脱自在に取り付けられ、
　測定電極部２は、主として二つの電極６，７からなり、一方の電極（以下、内極という）６は、棒状で、センサボディ１の下端に取り付けられており、他方の電極（以下、外極という）７は、両端部が開放した円筒状で、内極６の外方にこれと同軸に配置され、これらの内極６の基部と外極７の基部との間には、電気絶縁性および耐薬品性に富む素材よりなるスペーサ８が介装され、
　内極６は、その下端部が曲面加工され、
　外極７の基部の適宜位置には、被検液を外極７内に導入または導出するための貫通孔９，１０が開設され、
　内極６の基部は下端側より太径となっており、太径の基部と細径の下端側との間には、外極の貫通９，１０に臨む位置で段差面を有し、
　スペーサ８の下端面は外極の貫通９，１０に臨む位置にある導電率計の測定電極部２。」の発明（以下「引用発明」という。）が記載されている。
　
３　原査定の拒絶の理由に引用され、本願の出願前に頒布された刊行物である特開平１０−１５１４６２号公報（以下「引用例２」という。）には、図面とともに、次の事項が記載されている。（下線は当審で付したものである。）
　
「【０００１】
【発明の属する技術分野】本発明は、連続してアルカリ性水と酸性水を電解生成する電解槽と、水道原水やその浄水、あるいは電解槽で生成されたアルカリ性や酸性の電解水などの水質を電気化学的に測定する水質測定器とを設けて形成される電解水生成装置に関す
るものである。」
　
「【００２６】この電気化学的水質測定装置２０は、電位差検出方式の電気化学センサであり、電極が作用電極（検知電極）２８と比較電極２１、及び液絡部２２とで構成され、水質変化による作用電極２８と比較電極２１の電位差あるいは電流の変化を検出するものである。本実施の形態では電気化学的水質測定装置２０の構造を酸化還元電位を測定するもので説明するが、図９〜図１１に示したように、ＰＨ、或は各種イオン濃度や溶存ガスなどの水中溶存成分を測定するものも基本的には同様な構造である。
【００２７】筒状に形成されるセンサ本体１の下部内には、封入部１８と検水部１７とを仕切るように液絡部保持部材２４が設けてあり、液絡部保持部材２４にアルミナ系セラミックスなどの多孔質材で形成される液絡部（塩橋）２２を保持させてある。
液絡部保持部材２４はシリコンなどの絶縁材料によって形成してある。
【００２８】また作用電極部２８は、熱収縮性テフロンチューブで白金線等のリード線４４を被覆し、あるいはガラスにリード線４４を封入して絶縁被覆部２９を形成すると共に、絶縁被覆部２９の下端に白金又は金などの不反応性金属電極２６ｂをリード線４４と接続して設けることによって形成されるものであり、この作用電極２８は電極２６ｂを設けた下部が検水部１７内に位置するように、液絡部保持部材２４を通して取り付けてある。そして作用電極部２８の下端部は、図３（ａ）に示すように下方へ凸となる形状に、すなわち下端部が細くなる形状に形成してある（請求項１）。
【００２９】しかして、電解槽２で生成された電解水は流入口３０から検水部１７に流入し、流出部３１から流出される。そして電解水が検水部１７を通過する際に、酸化還元電位が計測される。ここで、
上記のように、作用電極部２８の電極２６ｂを設けた下端部は下方へ凸形状に形成してあるので、気泡が作用電極部２８の下端部の電極２６ｂの表面に付着しても、気泡の浮力が凸形状に沿って外側方へ作用し、気泡は浮上して作用電極部２８の下端部から外れ易くなる。しかも作用電極部２８の下端部の回りの水流も凸形状に沿って外側方（上方）へ向かった流れが生じ、気泡がこの水流に同伴されて作用電極部２８の下端部に付着し難くなる。
【００３０】
作用電極部２８の下部を凸形状に形成するにあたっては、作用電極部２８の下端部を図３（ａ）のように下端のエッジをＣ面取りして円錐台形に形成する
【００３１】ここで、図１に示すように、検水部１７の液絡部保持部材２４の下面として形成される
天井面１７ａは
流出口３１側へ上向き傾斜する傾斜面として形成してある
検水部１７の天井面１７ａをこのような傾斜面に形成することによって、流入口３０から検水部１７の下部に流入した電解水は傾斜する天井面１７ａに沿ってスムーズに上昇して検水部１７内を流れ、上部の流出口３１から流出させることができる。従って、水量が少ない場合でも、気泡は検水部１７内で下から上へスムーズに流れる水流に同伴され、気泡を流出口３１からスムーズに流出させることができるものであり、気泡の滞留による影響を受けることなく安定して水質測定を行なうことができるものである。
　
「【図１】
　　　　　　　　　　　　　　　　　　　　　　　　　　　　　　　」
「【図３】
　　　　　　　　　　　　　　　　　　　　　　　　　　　　　　　」
　
第４　本願発明と引用発明の対比
１　ここで、本願発明と引用発明を対比する。
（１）引用発明の「両端部が開放した円筒状」の「外極７」が、本願発明の「円管状の外電極」に相当する。
　
（２）引用発明の「（そ）の外方にこれと同軸に」「外極７」が「配置され」る「棒状」の「内極６」が、本願発明の「該外電極内に同軸に配置された棒状の内電極」に相当する。
　
（３）引用発明の「電気絶縁性および耐薬品性に富む素材よりなるスペーサ８」が、本願発明の「絶縁ホルダ」に相当し、引用発明の「内極６の基部と外極７の基部との間には、電気絶縁性および耐薬品性に富む素材よりなるスペーサ８が介装され」ることが、本願発明の「該外電極と内電極の基部に絶縁ホルダを介在させ」ることに相当する。
　
（４）引用発明の「二つの電極６，７から」なる「導電率計の測定電極部２」が「絶縁物よりなるセンサボディ１の下端側に形成されている」ことが、本願発明の「該外電極と内電極とを本体に保持」することに相当する。
　
（５）引用発明の「外極７の基部の適宜位置」に「開設され」た「被検液を外極７内に導入または導出するための貫通孔９，１０」が、本願発明の「外電極の前記基部に形成された流出孔」に相当し、引用発明の「外極７の適宜位置には、被検液を外極７内に導入または導出するための貫通孔９，１０が開設され」「センサボディ１が被検液が流れるセルの液流路に臨むようにして着脱自在に取り付けられて液体の導電率を測定」することが、本願発明の「該外電極の円管先端から流入する被測定流体を該外電極と該内電極との間を通して、該外電極の前記基部に形成された流出孔から流出させ、該外電極と該内電極の間の被測定液体の抵抗率を測定する」ことに相当する。
　
（６）引用発明の「導電率計の測定電極部２」が、本願発明の「抵抗率計の電極」に相当する。
　
（７）引用発明の「内極６は、その下端部が曲面加工され」ることと、本願発明の「前記内電極の前記被測定流体の上流側先端の形状が円錐台の形状であ」ることとは、「前記内電極の前記被測定流体の上流側先端の形状が直角の角を有しない形状である」点で一致する。
　
２　一致点
　したがって、本願発明と引用発明とは、
「円管状の外電極と、該外電極内に同軸に配置された棒状の内電極とを備えるとともに、該外電極と内電極の基部に絶縁ホルダを介在させて該外電極と内電極とを本体に保持し、該外電極の円管先端から流入する被測定流体を該外電極と該内電極との間を通して、該外電極の前記基部に形成された流出孔から流出させ、該外電極と該内電極の間の被測定液体の抵抗率を測定する抵抗率計の電極であって、
　前記内電極の前記被測定流体の上流側先端の形状が直角の角を有しない形状である抵抗率計の電極。」
の発明である点で一致し、次の各点で相違する。
　
３　相違点
（１）相違点１
　内電極の上流側先端の「直角の角を有しない形状」が、本願発明においては「円錐台の形状」であるのに対して、引用発明においては「曲面加工された」形状である点。
　
（２）相違点２
　絶縁ホルダ及び内電極基部の形状に関して、本願発明は、「絶縁ホルダの形状」は、「少なくとも流出孔に対応する部分が、内電極から流出孔にかけて傾斜する傾斜面を有する形状」であり、「内電極の基部の形状」は、「少なくとも流出孔に対応する部分が、絶縁ホルダの傾斜面にかけて傾斜する傾斜面を有する形状」であるのに対して、引用発明においては、「スペーサ８」（「絶縁ホルダ」に相当）及び「内極の基部」（「内電極の基部」に相当）の形状については、そのような特定がなされていない点。
　
第５　当審の判断
１　相違点の検討
（１）相違点１について
　引用例２の【００２９】、【００３０】及び【図３】には、電極の下端部を下方へ凸形状に形成することによって気泡を電極の下端部に付着しにくくすること、及び、上記の凸形状の１つの形態として円錐台形にすることが記載されている。
　引用発明においても、気泡の付着（滞留）を防ぐという自明の課題を有するものであるから、内極の上流側（下端）先端の「直角の角を有しない形状」として、上記引用例２に記載された「円錐台の形状」を採用することは、当業者が容易に想到し得たことにすぎない。
　
（２）相違点２について
　引用例２の【図１】から、「液絡部保持部材２４の下面として形成される天井面１７ａ」が電解水の流出口に臨む位置にあることが見て取れ、そして、上記「天井面１７ａ」について【００３１】には、天井面１７ａは流出口３１側へ上向き傾斜する傾斜面に形成することによって電解水の流出をスムーズにさせ、スムーズに流れる水流に同伴されて気泡がスムーズに流出され、気泡を滞留しないようにすることが記載されている。
　引用発明においても、気泡の付着（滞留）を防ぐという自明の課題を有するものであるから、上記引用例２の「液絡部保持部材２４」と同様に絶縁材料である（引用例２の【００２７】参照）「スペーサ８」の貫通孔９，１０に臨む「下端面 」 について、上記引用例２に記載の「流出口側へ上向き傾斜する傾斜面」に形成する点を採用することは当業者が容易に想到し得ることである。
　そして、さらに、上記の「スペーサ８の下端面」と同様に貫通孔９，１０に臨んでいる「内極６の基部の段差面」についても、上記引用例２に記載の「流出口側へ上向き傾斜する傾斜面」に形成する点を採用することは当業者が容易に想到し得ることである。
　すなわち、引用発明において、引用例２に記載された上記の構成を採用し、上記の相違点２に係る本願発明の構成を得ることは当業者が容易になし得たことにすぎない。
　
２　そして、本願発明によってもたらされる効果は、引用発明及び引用例２に記載された技術的事項から当業者が予測し得る程度のものである。
　
３　まとめ
　したがって、本願発明は、引用発明及び引用例２に記載された技術的事項に基いて当業者が容易に発明をすることができたものである。
　
第６　結言
　以上のとおり、本願発明は、引用発明及び引用例２に記載された技術的事項に基いて当業者が容易に発明をすることができたものであり、特許法第２９条第２項の規定により特許を受けることができないから、その余の請求項に係る発明について論及するまでもなく、本願は拒絶すべきものである。
　
　よって、結論のとおり審決する。